(57)【要約】【課題】外観の大型化を極力抑えつつ、把持性と機能性とを両立して使用者にとって使い勝手のよい電気掃除機を提供することを目的とする。【解決手段】本発明の電気掃除機１は、ごみを空気と一緒に吸い込むための吸込口体６と本体２との間の風路を形成する管体と、管体の途中の一部領域に配設された操作体４と、を備える。操作体４は、使用者が操作体４を握るための部位であって、その内部に風路が形成された筒状の把持部１５と、使用者が把持部１５を握った際に指を掛けるための突起部１６と、突起部１６の内部空間に形成され、センサを収容するための部品収容部１８と、を備える。【選択図】図２
2014217563.tif 000002
【特許請求の範囲】
【請求項１】
ごみを空気と一緒に吸い込むための吸込部と本体との間の風路を形成する管体と、
前記管体の途中に配設され、使用者が前記吸込部を操作するための操作体と、を備え、
前記操作体は、
使用者が前記操作体を握るための部位であって、その内部に前記風路が形成された筒状の把持部と、
使用者が前記把持部を握った際に指を掛けるための突起部と、
前記突起部の内部空間に形成され、センサを収容するための部品収容部と、
を備えた電気掃除機。
【請求項２】
前記突起部は、前記把持部の下向きの外面における前寄りの部位に配設されている請求項１記載の電気掃除機。
【請求項３】
前記センサは、前記操作体の振動を検知するセンサである請求項１または２記載の電気掃除機。
【請求項４】
前記センサは、前記風路を通過する塵埃を検知するセンサである請求項１または２記載の電気掃除機。
【請求項５】
前記本体の操作を行うためのスイッチを前記突起部に設けた請求項１乃至３の何れか１項記載の電気掃除機。
【請求項６】
前記スイッチは、使用者が前記把持部を握った際に直接触れない部位に配置されている請求項５記載の電気掃除機。
【請求項７】
前記突起部には、使用者が前記把持部を握った際に指を挿入可能な挿入孔が設けられ、
前記スイッチは、前記突起部の外側面に設けられている請求項５記載の電気掃除機。
【請求項８】
前記突起部には、使用者が前記把持部を握った際に指を挿入可能な挿入孔が設けられ、
前記スイッチは前記挿入孔の内側面に設けられている請求項５記載の電気掃除機。
【請求項９】
前記把持部は、前記突起部に向かうに連れてその外形が細くなるように、下向きの外面が内向きに傾斜して形成されている請求項１乃至８の何れか１項記載の電気掃除機。
【請求項１０】
前記把持部は、前記吸込部側から前記本体側に向かって徐々に太くなる請求項１乃至９の何れか１項記載の電気掃除機。
【請求項１１】
前記操作部は、前記把持部から上方に分岐して突出した第２の把持部を更に備えた請求項１乃至１０の何れか１項記載の電気掃除機。
【請求項１２】
前記把持部は、前記風路の延在方向に垂直な断面形状が逆卵型となる形状である請求項１乃至１１の何れか１項記載の電気掃除機。
【発明の詳細な説明】
【技術分野】
【０００１】
本発明は、電気掃除機に関するものである。
【背景技術】
【０００２】
従来、例えば特許文献１には、使用者が電気掃除機を使用する際に握る手元部の内部構造に関する技術が開示されている。この電気掃除機では、発光部および受光部を備えるゴミ検出器を手元部外装の内部に備え、吸込空気に含まれるゴミを検出することとしている。
【先行技術文献】
【特許文献】
【０００３】
【特許文献１】特公平３−７７７２９号公報
【発明の概要】
【発明が解決しようとする課題】
【０００４】
特許文献１に記載された電気掃除機では、ゴミ検出器のセンサ類を吸入空気が通過する風路外に設置しているため、手元部外観の形状が大きなものとなっている。このため、従来の電気掃除機では、手元部の重量増、使い勝手（操作性）の悪化、或いはデザイン上の制約等が生じるといった問題があった。
【０００５】
本発明は、上述のような課題に鑑みてなされたもので、外観の大型化を極力抑えつつ、把持性と機能性とを両立して使用者にとって使い勝手のよい電気掃除機を提供することを目的とする。
【課題を解決するための手段】
【０００６】
本発明に係る電気掃除機は、ごみを空気と一緒に吸い込むための吸込部と本体との間の風路を形成する管体と、管体の途中に配設され、使用者が吸込部を操作するための操作体と、を備え、操作体は、使用者が操作体を握るための部位であって、その内部に風路が形成された筒状の把持部と、使用者が把持部を握った際に指を掛けるための突起部と、突起部の内部空間に形成され、センサを収容するための部品収容部と、を備えたものである。
【発明の効果】
【０００７】
本発明によれば、外観の大型化を極力抑えつつ、把持性と機能性とを両立して使用者にとって使い勝手のよい電気掃除機を提供することが可能となる。
【図面の簡単な説明】
【０００８】
【図１】本発明の実施の形態１に係る電気掃除機の外観を示す斜視図である。
【図２】この発明の実施の形態１における電気掃除機の要部を示す側面図である。
【図３】使用者が把持部を握った状態の図である。
【図４】操作体の内部構造を説明するための断面図である。
【図５】操作体の他の構成例を示す側面図である。
【図６】操作体の他の構成例を示す側面図である。
【図７】操作体の他の構成例を示す側面図である。
【図８】本発明の実施の形態２における操作体を示す側面図である。
【図９】本発明の実施の形態３における操作体を示す図である。
【発明を実施するための形態】
【０００９】
以下、本発明に係る電気掃除機の実施の形態について図面を参照して説明する。尚、各図において、同一又は相当する部分には同一の符号を付してその説明を省略或いは簡略化する。
【００１０】
実施の形態１．
図１は、本発明の実施の形態１に係る電気掃除機の外観を示す斜視図である。図１に示すように、電気掃除機１は、本体（掃除機本体）２、ホース３、操作体４、延長管５、吸込口体６を備えている。吸込口体６は、下向きに形成された開口から、床面上のごみ（塵埃）を空気と一緒に内部に取り込む。ここで、延長管５や操作体４の吸気側の端部に形成される開口、延長管５の吸気側の端部に接続される吸込口体６や後述するブラシ７、隙間ノズル等（図示せず）、操作体４の吸気側の端部に接続されるブラシ９等を、吸込部と総称する。以後、吸込部として延長管５の吸気側端面に接続される吸込口体６を例にとり説明する。
【００１１】
延長管５は、全体として真直ぐな円筒状を呈する。延長管５の吸気側の端部は、吸込口体６に接続される。使用者は、ボタン操作あるいはレバー操作を行うことにより、吸込口体６を延長管５から取り外すことができる。延長管５は、吸気側の端部に、吸込口体６を取り外した状態で使用するためのブラシ７を備える。また、使用者は、延長管５の排気側の端部に設けられたレバー８（或いはボタン）を操作することにより、延長管５を伸縮させることができる。
【００１２】
操作体４は、掃除を行うときに使用者が持つ部分である。使用者は、操作体４を持ち、吸込口体６を操作する。すなわち、使用者は、操作体４を操作して吸込口体６の位置及び向きを変える。操作体４の吸気側の端部は、延長管５の排気側の端部に接続される。使用者は、ボタン操作或いはレバー動作を行うことにより、延長管５を操作体４から取り外すことができる。操作体４は、吸気がエアの端部に、延長管５を取り外した状態で使用するためのブラシ９を備える。
【００１３】
ホース３は、その要部が可撓性を備えた蛇腹状を呈する中空の部品からなる。ホース３の吸気側の端部は、操作体４の排気側の端部に接続される。ホース３は、排気側の端部に硬質の接続管１０を備える。
【００１４】
ホース３の接続管１０には本体２が接続される。これにより、吸込口体６から延長管５、操作体４およびホース３を介して本体２へと一続きに連通した風路が形成される。以下、吸込口体６と本体２との間の風路を形成する延長管５、操作体４およびホース３を「管体」と総称する。
【００１５】
本体２は、ホース３から吸い込まれたごみを含む空気（含塵空気）からごみを分離し、ゴミが分離された空気（清浄空気）を排出するためのものである。空気から分離されたごみは、本体２の内部に溜められる。より詳しくは、本体２は、その内部に電動送風機１１と集塵部１２とを備えている。電動送風機１１は、電気掃除機１に形成された風路に気流を発生させる。電動送風機１１が吸引動作を行うと、床面上のごみが空気と一緒に吸込口体６に吸い込まれる。吸込口体６に吸い込まれた含塵空気は、吸込口体６から管体の内部を通り本体２に送られる。
【００１６】
集塵部１２は、本体２の内部に流入した空気からごみを分離して捕捉する。図１は、集塵部１２の一例として紙パック式の分離装置を示しているが、集塵部１２としてサイクロン式の分離装置や他の方式の分離装置を採用してもよい。
【００１７】
本体２は、両側に大型の車輪１３を備える。また本体２は、下面に小型の車輪（図示せず）を備える。小型の車輪は、その向きを自在に変えることができるように取り付けられている。このため、本体２は、車輪１３及び小型の車輪が床面に接触した状態で向きを変えることができる。
【００１８】
次に、図２乃至図４も参照して本発明の要部である操作体４の構成について具体的に説明する。図２は、この発明の実施の形態１における電気掃除機の要部を示す側面図である。
【００１９】
操作体４は、管部１４、把持部１５、突起部１６および表示部１７を備える。管部１４は、延長管５に接続される部分である。管部１４は、延長管５と一直線上に配置される。
【００２０】
把持部１５は、使用者が掃除をする際に握る部分である。以下の説明では、使用者が把持部１５を握ったときに向く方向（図１のＡ方向）を基準に、操作体４の前後及び左右方向を特定することとする。また、使用者が掃除を行うときの状態（即ち、図１に示す状態）を基準に上下方向を特定することとする。
【００２１】
本実施の形態における操作体４は、管部１４の内部と把持部１５の内部とに一続きの風路が形成される。より詳しくは、図３に示すように、管部１４と把持部１５とは、全体として中央部で折れ曲がった筒状を呈する。把持部１５は、管部１４から下側に折れ曲がるように形成される。このため、把持部１５を握った使用者の手は、管部１４の中心軸の延長線（図２に示す直線Ｂ）よりわずかに下方に配置される。管部１４の内部と把持部１５の内部に形成された風路は、吸込口体６から吸い込まれた含塵空気が通過する。把持部１５の後側の端部にホース３の吸気側の端部が接続される。
【００２２】
突起部１６は、把持部１５の下向きの外面における前方寄り（管部１４寄り）の位置に設けられている。図３は、使用者が把持部を握った状態の図である。この図に示すように、突起部１６は基本的に使用者が把持した際に人差し指をかける部位に配置されることが好ましい。突起部１６の内部には、センサ部品１９を収容する部品収容部１８が形成されている。表示部１７は、操作体の上部に配置されており、使用者が容易に表示部を確認することができるようになっている。
【００２３】
図４は、操作体の内部構造を説明するための断面図である。図中（ａ）に示すように、部品収容部１８に収容されるセンサ部品１９としては、例えば加速度センサ或いは感振センサが想定される。より詳しくは、加速度センサ或いは感振センサは、図中に示す方向へのグリップ動作を検知するものである。これにより、使用者が家具を移動するなどの掃除を行っていない状況であるか否かを判断し、本体の運転を自動でパワーダウンして無駄な電気を抑える。
【００２４】
また、部品収容部１８に収容されるセンサ部品１９としては、例えば赤外線センサが想定される。より詳しくは、図中（ｂ）に示すように、赤外線センサは、部品収容部１８と風路を挟んで対向する位置とにそれぞれ配置される。赤外線センサは、吸込口体６から吸込まれた塵埃がこれらのセンサ間を通過したことを検知し、表示部１７に表示する。
【００２５】
把持部１５に突起部１６を設けることにより、把持部１５を握り吸込口体６を操作する際に力が入れやすくなり操作性が向上する。また、センサ部品は圧損の増大或いは異物詰まりの原因を避けるために風路の外に配置する必要があるが、これを実現すると外観形状が大型化してしまいデザイン上の制約が生じる。しかしながら、本実施の形態の電気掃除機１では、センサを収容する部品収容部１８を突起部１６と共有することとしているので、デザイン性を損なうことなく指かけ部を設けることができる。尚、図３では使用者が右手で把持部１５を握り突起部１６に指を掛けているが、左手で握った場合であっても当然突起部１６に指を掛けて握ることができる。
【００２６】
次に、図５乃至図９も参照して電気掃除機１が採用し得る他の構成について説明する。図５は、操作体４の他の構成例を示す側面図である。図５に示すように、突起部１６は、指でストローク量を調整することにより掃除機本体２の電源のＯＮ／ＯＦＦ動作や、パワーコントロール等を行う操作部２０を更に備える構成であってもよい。操作部２０は、例えば、図５中の（ａ）、（ｂ）および（ｃ）のように、指かけの誤操作を防止するような構造とすることが好ましい。
【００２７】
図５中の（ａ）に示す例では、突起部１６の前下方に操作部２０を設ける構成としている。このような構成によれば、通常の把持状態では突起部１６に掛けた指が操作部２０に触れないので、操作部２０の誤操作を有効に防止することができる。そして、パワーコントロールを行いたい時には、指を突起部１６の前下方に移動させて操作部２０を操作することができる。
【００２８】
また、図５中の（ｂ）に示す例では、突起部１６に指を掛けるための穴部２１を設け、突起部１６の前方に操作部２０を設ける構成としている。このような構成によれば、通常の把持状態では突起部１６の穴部２１に指を掛けておき、パワーコントロールを行いたい時に指を突起部１６前方の操作部２０に移動させて操作することができる。これにより、通常の把持状態では操作部２０に指が触れないので、操作部２０の誤操作を有効に防止することができる。
【００２９】
更に、図５中の（ｃ）に示す例では、指を掛けて操作部２０を操作するための穴部２１を突起部１６に設ける構成としている。このような構成によれば、通常の把持状態では突起部１６前方に指を掛けておき、パワーコントロールを行いたい時に指を突起部１６の穴部２１に移動させて操作部２０を操作することができる。これにより、通常の把持状態では操作部２０に指が触れないので、操作部２０の誤操作を有効に防止することができる。
【００３０】
図６は、操作体４の他の構成例を示す側面図である。図６に示す例では、操作体４の把持部１５が排気側（すなわち本体２側）に向かうに連れて徐々に太くなる形状に形成されている。これにより、把持部１５を把持して吸込口体６を操作する際に力が入れ易くなり操作性が更に向上する。
【００３１】
図７は、操作体４の他の構成例を示す側面図である。図７に示す例では、操作体４の把持部１５が突起部１６に向かうに連れて細くなるように、把持部１５の下向きの外面１５１が風路側に傾斜して形成されている。これにより、把持部１５を把持して吸込口体６を操作する際に力が入れ易くなり操作性が更に向上する。
【００３２】
（実施の形態２）
図８は、本発明の実施の形態２における操作体４を示す側面図である。なお、操作体４の構造以外は本発明の第１の実施の形態と同じものであり、同一の構成については同一の符号を付してその詳細な説明は省略する。
【００３３】
本実施の形態における操作体４は、把持部１５と上把持部２２と補強用の連結部２３とから構成される。把持部１５及び上把持部２２は、管部１４から上下に分岐するように形成される。上把持部２２は把持部１５の上方に配置される。また、管部１４の内部と把持部１５の内部には、一続きの風路が形成される。この風路は、吸込口体６から吸い込まれた含塵空気が通過する。把持部１５の後側の端部には、ホース３の吸気側の端部が接続される。
【００３４】
連結部２３は、把持部１５の後側の端部と上把持部２２の後側の端部とを上下に連結する。上把持部２２は、把持部１５より後方に突出する。このため、連結部２３は、例えばＬ字状を呈する。
【００３５】
このように、本実施の形態では操作体４に上把持部２２を設けることとしたので、使用者は把持部１５と上把持部２２とを用途に応じて使い分けることができる。例えば、フローリングや絨毯等の床面を掃除する際には、把持部１５を握り掃除を行い、吸込口体６を外してカーテンレールの上や高所の棚等の掃除を行うときや低い場所を掃除するときは、上把持部２２を握り掃除を行うことができる。
【００３６】
（実施の形態３）
図９は、本発明の実施の形態３における操作体４を示す図である。なお、この図中（ａ）は操作体４の側面図を、（ｂ）は（ａ）中の把持部１５のＡ−Ａ断面図を、それぞれ示している。また、操作体４の構造以外は本発明の第１の実施の形態と同じものであり、同一の構成については同一の符号を付してその詳細な説明は省略する。
【００３７】
本実施の形態の操作体４は、把持部１５の断面形状が円筒ではなく逆卵型形状に構成されている点に特徴を有している。また、塵埃が通る風路内である管部１４、延長管５も把持部１５と同じ逆卵型形状に構成されている。
【００３８】
このように、本実施の形態では、把持部１５の断面を逆卵型形状とすることとしたので、把持部１５を握り吸込口体６を操作する際に力が入れやすくなり操作性が向上する。
【符号の説明】
【００３９】
１  電気掃除機、２  本体、３  ホース、４  操作体、５  延長管、６  吸込口体、７  ブラシ、８  レバー、９  ブラシ、１０  接続管、１１  電動送風機、１２  集塵部、１３  車輪、１４  管部、１５  把持部、１６  突起部、１７  表示部、１８  部品収容部、１９  検知部品、２０  操作部、２１  穴部、２２  上把持部、２３  連結部
【図１】
2014217563.tif 000003
【図２】
2014217563.tif 000004
【図３】
2014217563.tif 000005
【図４】
2014217563.tif 000006
【図５】
2014217563.tif 000007
【図６】
2014217563.tif 000008
【図７】
2014217563.tif 000009
【図８】
2014217563.tif 000010
【図９】
2014217563.tif 000011